(57)【要約】【課題】箱本体の上面開口の全面をスライド式のシャッタのみで簡単に開閉できるとともに、シャッタを箱本体から取り外すことなく、箱本体の側壁に格納でき、その格納状態で箱本体同士を嵌合させてパチンコ玉箱を積み重ねることができるパチンコ玉箱を提供する。【解決手段】箱本体の対向する両側の側壁を二重構造としてシャッタ格納空間４を両側に形成し、箱本体１の上面開口を合わせて開閉する２枚のシャッタ２のそれぞれを、横長の多数の伸縮部材５をすだれ状に連接して構成し、これらシャッタを、その伸縮部材が伸縮しながら各シャッタ格納空間に対しそれぞれ出入自在とするとともに、伸縮部材の両端を摺動案内することにより両シャッタの開閉を案内する開閉案内溝１０を、箱本体の上面開口縁に形成する。【選択図】図６
0003124383.tif 000002
【実用新案登録請求の範囲】
【請求項１】
上面を開口させた箱本体を底面に向かって狭くなる断面逆台形としたパチンコ玉箱において、箱本体の対向する両側の側壁を二重構造としてシャッタ格納空間を両側に形成し、箱本体の上面開口を合わせて開閉する２枚のシャッタのそれぞれを、横長の多数の伸縮部材をすだれ状に連接して構成し、これらシャッタを、その伸縮部材が伸縮しながら各シャッタ格納空間に対しそれぞれ出入自在とするとともに、前記伸縮部材の両端を摺動案内することにより両シャッタの開閉を案内する開閉案内溝を、箱本体の上面開口縁に形成したことを特徴とするパチンコ玉箱。
【請求項２】
箱本体の開閉案内溝に、両シャッタを閉じた位置で係止する閉じストッパを設けたことを特徴とする請求項１に記載のパチンコ玉箱。
【請求項３】
各伸縮部材は、横長の案内筒内に、一対の出入棒を摺動自在に嵌装するとともに、これら出入棒を、案内筒の両端から互いに逆向きに突出させるように付勢するスプリングを内蔵して構成し、伸縮部材の案内筒同士を継手片で連結してシャッタとしたことを特徴とする請求項１又は２に記載のパチンコ玉箱。
【請求項４】
各シャッタにおいて、伸縮部材の案内筒及び出入棒の長さを、先頭の伸縮部材より最後尾の伸縮部材に向かって徐々に短くしたことを特徴とする請求項３に記載のパチンコ玉箱。
【請求項５】
各シャッタにおいて、先頭の伸縮部材の案内筒に摘み部を設けたことを特徴とする請求項３、４又は５に記載のパチンコ玉箱。
【考案の詳細な説明】
【技術分野】
【０００１】
本考案は、パチンコ遊技するパチンコ玉を収容するためのパチンコ玉箱に関する。
【背景技術】
【０００２】
従来、蓋付きのパチンコ玉箱は各種のものが提案されており、例えば、特許文献１（特開２００２−１４３５４６号公報）には、スライド式のシャッタを利用した蓋構造が開示されている。これは、箱本体に被せてその上面開口を着脱自在に覆う蓋に、その半分程度の面積の開口部を形成し、この開口部を、蓋に摺動自在に装着したシャッタにて開閉する構造となっている。
【０００３】
しかし、このような蓋構造では、シャッタは箱本体の上面開口の半分程度を開閉するだけで、箱本体の上面開口を全面開放するには、シャッタを含む蓋全体を箱本体から取り外さなければならない。通常、箱本体は、パチンコ玉の取り出しを容易にするため、及び、複数のパチンコ玉箱を積み重ねる際に、箱本体同士を嵌合させてコンパクトにできるように、底面に向かって狭くなる断面逆台形となっているが、蓋を箱本体に被せる構造では、複数のパチンコ玉箱を積み重ねるに当たり、蓋を箱本体から取り外さければならないのに加え、その取り外した蓋を箱本体とは別に管理しなければならない煩わしさがある。
【特許文献１】特開２００２−１４３５４６号公報
【考案の開示】
【考案が解決しようとする課題】
【０００４】
本考案の課題は、箱本体の上面開口の全面をスライド式のシャッタのみで簡単に開閉できるとともに、シャッタを箱本体から取り外すことなく、箱本体の側壁に格納でき、その格納状態で箱本体同士を嵌合させてパチンコ玉箱を積み重ねることができるパチンコ玉箱を提供することにある。
【課題を解決するための手段】
【０００５】
本考案によるパチンコ玉箱は、箱本体の対向する両側の側壁を二重構造としてシャッタ格納空間を両側に形成し、箱本体の上面開口を合わせて開閉する２枚のシャッタのそれぞれを、横長の多数の伸縮部材をすだれ状に連接して構成し、これらシャッタを、その伸縮部材が伸縮しながら各シャッタ格納空間に対しそれぞれ出入自在とするとともに、伸縮部材の両端を摺動案内することにより両シャッタの開閉を案内する開閉案内溝を、箱本体の上面開口縁に形成したものである。
【０００６】
請求項２以降の考案では、それぞれ次のような構成を付加する。
＜請求項２＞
箱本体の開閉案内溝に、両シャッタを閉じた位置で係止する閉じストッパを設ける。
＜請求項３＞
各伸縮部材は、横長の案内筒内に、一対の出入棒を摺動自在に嵌装するとともに、これら出入棒を、案内筒の両端から互いに逆向きに突出させるように付勢するスプリングを内蔵して構成し、伸縮部材の案内筒同士を継手片で連結してシャッタとする。
＜請求項４＞
各シャッタにおいて、伸縮部材の案内筒及び出入棒の長さを、先頭の伸縮部材より最後尾の伸縮部材に向かって徐々に短くする。
＜請求項５＞
各シャッタにおいて、先頭の伸縮部材の案内筒に摘み部を設ける。
【考案の効果】
【０００７】
本考案によれば、箱本体の上面開口を２枚のシャッタにより全面開放できるとともに、その開口面積を全面開放から全面閉鎖まで自由に変化させることができる。これらシャッタは、箱本体の両側の側壁を二重壁構造により形成されたシャッタ格納空間に格納されるので、これらシャッタを取り外すことなく、箱本体同士を嵌合させてパチンコ玉箱を多段に積み重ねることができる。２枚のシャッタは、横長の多数の伸縮部材をすだれ状に連接して構成されているので、箱本体が底面に向かって狭くなる断面逆台形であっても、摺動させるだけで簡単に開閉できる。
【０００８】
請求項２に係る考案によれば、両シャッタを、箱本体の上面開口縁の開閉案内溝に設けた閉じストッパにより閉じた状態に保持できる。
【０００９】
請求項３に係る考案によれば、横長の伸縮部材の製作及びその多数によるシャッタの製作を容易に行える。
【００１０】
請求項４に係る考案によれば、伸縮部材を構成する案内筒及び出入棒の長さを、先頭の伸縮部材より最後尾の伸縮部材に向かって徐々に短くしたので、箱本体が断面逆台形であることに適応したシャッタ構造にできる。
【００１１】
請求項５に係る考案によれば、各シャッタの先頭の伸縮部材の案内筒に摘み部を設けたので、シャッタの開閉操作を容易に行える。
【考案を実施するための最良の形態】
【００１２】
次に、本考案の実施例を図面に基づいて詳細に説明する。
【実施例】
【００１３】
図１〜図３は、本パチンコ玉箱の箱本体１の上面開口を同じ構造の２枚のシャッタ２で閉じた状態を示す。箱本体１は、長方形の上面開口１ａから底面１ｂに向かって長辺及び短辺の両側が狭くなる断面逆台形で、短辺の両側壁１ｃの外面上端に把手３を一体に突設しており、外観は、従来の通常のパチンコ玉箱の箱本体と同じ形状である。
【００１４】
箱本体１の長辺の両側壁１ｄは、図３に示すように二重壁構造となって箱本体１の両側のシャッタ格納空間４を形成している。このシャッタ格納空間４の空間厚さは、各シャッタ２を摺動自在に格納できるように上下及び左右の両方向に同じであるが、空間の左右の長さは、箱本体１が断面逆台形であるため上端から下端に向かって徐々に短くなっている。
【００１５】
各シャッタ２は、横長の多数の伸縮部材５を連接して構成されている。各伸縮部材５は、円筒形の案内筒６内に、左右一対の出入棒７を摺動自在に嵌装するとともに、これら出入棒７の間において案内筒６内にスプリング８を内蔵して、両方の出入棒７を案内筒６の両端から互いに逆向きに突出させるように付勢したものである。従って、両方の出入棒７がスプリング８の作用により案内筒６より突出するときは、伸縮部材５の長さは長くなり、逆に、両方の出入棒７がスプリング８に抗して案内筒６内に突入するときは、伸縮部材５の長さは短くなる。
【００１６】
このような構造については、伸縮部材５の全てについて共通であるが、各シャッタ２の全体から見ると、図２に示すように案内筒６及び出入棒７の長さが異なり、シャッタ格納空間４外へ引き出す際に先頭になる伸縮部材５より最後尾となる伸縮部材５に向かって、案内筒６及び出入棒７の長さがいずれも徐々に短くなっている。そして、各シャッタ２を構成する伸縮部材５相互は、それらの案内筒６同士が屈曲可能な継手片９で連結されている。
【００１７】
箱本体１の上面開口１ａの短辺の両側内縁、つまり、短辺の両側壁１ｃの内面の上縁には、シャッタ２の開閉を案内するため開閉案内溝１０が形成され、これら開閉案内溝１０は、両側のシャッタ格納空間４の両端に続いていて、伸縮部材５の両方の出入棒７の先端部を摺動自在に案内する。
【００１８】
従って、各シャッタ２は、各シャッタ格納空間４から引き出すと、シャッタ格納空間４の上端で屈曲しながら両側の開閉案内溝１０に沿って摺動して上面開口１ａを閉じていく（図１〜図３参照）。逆に、シャッタ格納空間４へ向かって押すと、両側の開閉案内溝１０に沿って摺動してシャッタ格納空間４の上端で屈曲しながらその中に格納される（図５〜図７参照）。
【００１９】
その開閉操作を行うため、両シャッタ２のそれぞれについて、その先頭の伸縮部材５の案内筒６に摘み部１１が突設されている。この摘み部１１は、シャッタ格納空間４の外端に当接してシャッタ２がそれ以上に格納されるのを防止するストッパを兼ねている。また、両側の開閉案内溝１０の中央には、両シャッタ２をそれぞれ閉じた状態で係止するため、先頭の伸縮部材５の両方の出入棒７の先端部を嵌合させる閉じストッパ１２が設けられている。さらに、箱本体１の底面には、その複数箇所に通気孔１３が設けられている。
【００２０】
本パチンコ玉箱はこのような構造であるので、摘み部１１を摘んでシャッタ２をシャッタ格納空間４から引き出していくと、シャッタ２がシャッタ格納空間４の上端で屈曲しながら両側の開閉案内溝１０に沿って摺動し、シャッタ格納空間４内では、その空間長さが上端に向かって徐々に長くなっているのに従って各伸縮部材５が徐々に伸長し、箱本体１の上面開口１ａを両シャッタ２で合わせて閉じることができる。完全に閉じたとき、先頭の伸縮部材５の両方の出入棒７の先端部が閉じストッパ１２に嵌合することにより、閉じた状態を保持できる。
【００２１】
一方、摘み部１１を摘んでシャッタ２をシャッタ格納空間４へ向かって押していくと、シャッタ２が、両側の開閉案内溝１０に沿って摺動してシャッタ格納空間４の上端で屈曲しながらその中に格納されるが、このときは、シャッタ格納空間４の空間長さが下端に向かって徐々に短くなっているのに従って各伸縮部材５が徐々に短縮し、箱本体１の上面開口１ａを全面開放できる。
【００２２】
図８は、箱本体１の上面開口１ａを全面開放して箱本体１に収容されたパチンコ玉１４を露呈させた状態の斜視図である。図９は、上面開口１ａを全面開放した箱本体１同士を嵌合させてパチンコ玉箱を多段に積み重ねた状態の断面図である。図１０は、箱本体１の上面開口１ａをシャッタ２で閉じて、パチンコ玉箱を積み重ねた状態の断面図である。
【図面の簡単な説明】
【００２３】
【図１】本考案の実施例のパチンコ玉を示し、箱本体の上面開口を同じた状態の斜視図である。
【図２】その平面図である。
【図３】その断面図である。
【図４】箱本体の平面図である。
【図５】箱本体の上面開口を全面開放した状態の平面図である。
【図６】その断面図である。
【図７】同じく箱本体を透視した正面図である。
【図８】箱本体の上面開口を全面開放して収容されたパチンコ玉を露呈させた状態の斜視図である。
【図９】上面開口を全面開放した箱本体同士を嵌合させてパチンコ玉箱を多段に積み重ねた状態の断面図である。
【図１０】箱本体の上面開口をシャッタで閉じて、パチンコ玉箱を積み重ねた状態の断面図である。
【符号の説明】
【００２４】
１  箱本体
１ａ  上面開口
１ｂ  底面
１ｃ  短辺の両側壁
１ｄ  長辺の両側壁
２  シャッタ
３  把手
４  シャッタ格納空間
５  伸縮部材
６  案内筒
７  出入棒
８  スプリング
９  継手片
１０  開閉案内溝
１１  摘み部
１２  閉じストッパ
１３  通気孔
１４  パチンコ玉
【図１】
0003124383.tif 000003
【図２】
0003124383.tif 000004
【図３】
0003124383.tif 000005
【図４】
0003124383.tif 000006
【図５】
0003124383.tif 000007
【図６】
0003124383.tif 000008
【図７】
0003124383.tif 000009
【図８】
0003124383.tif 000010
【図９】
0003124383.tif 000011
【図１０】
0003124383.tif 000012
【手続補正書】
【提出日】平成18年6月13日(2006.6.13)
【手続補正１】
【補正対象書類名】実用新案登録請求の範囲
【補正対象項目名】請求項５
【補正方法】変更
【補正の内容】
【請求項５】
各シャッタにおいて、先頭の伸縮部材の案内筒に摘み部を設けたことを特徴とする請求項３又は４に記載のパチンコ玉箱。